(57)【特許請求の範囲】
【請求項１】
映像信号に重畳されたカラーバースト信号をバーストゲートパルスによる規定のタイミングで基準副搬送波信号により同期検波を行い、前記同期検波の結果に基づいてカラーバースト信号の有無を検出するカラーキラー検波器であって、
少なくとも前記同期検波により得られた信号に対して、前記バーストゲートパルスの少なくとも有効期間内でサンプリングタイミングを所定時間ずつ異ならせてｎ回サンプリングした結果に基づいて、前記映像信号がカラー信号であるか白黒信号であるかを判定する判定手段を備えたことを特徴とするカラーキラー検波器。
【請求項２】
前記判定手段は、
少なくとも前記同期検波により得られた前記信号を共通のデータ入力とし、それぞれ位相が所定量ずつ異なるｎ個のサンプリングクロックをクロック入力とするｎ個のフリップフロップ回路と、
前記ｎ個のフリップフロップ回路のそれぞれのデータ出力に対する論理和演算回路と、
前記論理和演算回路からの出力信号を複数の水平走査期間にわたってカウントするバースト信号カウンタと、
前記バースト信号カウンタによるカウント値が規定値以上の場合は前記映像信号がカラー信号であると判定し、前記カウント値が規定値未満の場合は前記映像信号が白黒信号であると判定するカラーキラー判定回路とを備えたことを特徴とする請求項１記載のカラーキラー検波器。
【請求項３】
前記判定手段は、
少なくとも前記同期検波により得られた前記信号をデータ入力とし、前記基準副搬送波信号に同期し且つ前記バーストゲートパルスの有効期間内にのみｎ個のパルスを有するサンプリングクロックをクロック入力とするフリップフロップ回路と、
前記フリップフロップ回路からのデータ出力信号を複数の水平走査期間にわたってカウントするバースト信号カウンタと、
前記バースト信号カウンタによるカウント値が規定値以上の場合は前記映像信号がカラー信号であると判定し、前記カウント値が規定値未満の場合は前記映像信号が白黒信号であると判定するカラーキラー判定回路とを備えたことを特徴とする請求項１記載のカラーキラー検波器。
【請求項４】
前記判定手段は、
少なくとも前記同期検波により得られた前記信号を共通のデータ入力とし、それぞれ位相が所定量ずつ異なるｎ個のサンプリングクロックをクロック入力とするｎ個のフリップフロップ回路と、
前記ｎ個のフリップフロップ回路からのそれぞれのデータ出力信号を複数の水平走査期間にわたってカウントする第１から第ｎバースト信号カウンタと、
前記第１から第ｎバースト信号カウンタの第１から第ｎカウント値が、第１または第ｎカウント値を含めて、昇順に規定値以上となる連続性がある場合は、前記映像信号がカラー信号であると判定し、前記第１から第ｎバースト信号カウンタのカウント値が全て規定値未満の場合は、前記映像信号が白黒信号であると判定するカラーキラー判定回路とを備えたことを特徴とする請求項１記載のカラーキラー検波器。
【発明の詳細な説明】
【０００１】
【発明の属する技術分野】
本発明は、カラーテレビ受信機において、受信信号がカラー信号か白黒信号かの判定を行うカラーキラー検波器に関する。
【０００２】
【従来の技術】
従来のカラーキラー検波器を図８に示す。図８のカラーキラー検波器８０は、同期検波回路２、ローパスフィルタ７、コンパレータ９、フリップフロップ回路８１、バースト信号カウンタ１２、およびカラーキラー判定回路１３が直列に接続されて構成されている。
【０００３】
同期検波回路２は、バーストゲートパルス５が有効な期間（ここでは、Ｈｉｇｈレベル期間）のみ、カラーバースト信号３を基準副搬送波信号４と掛け合わせて同期検波を行い、同期検波出力信号６として出力する。
【０００４】
同期検波出力信号６は、ローパスフィルタ７に入力され、同期検波の演算時に生じた高帯域側の不要な成分の除去が行われ、ローパスフィルタ出力信号８となる。
【０００５】
ローパスフィルタ出力信号８はコンパレータ回路９の正転側入力端子（＋）に入力され、反転側入力端子（−）には基準ＤＣ電圧源１０からの基準電圧が入力される。そして、ローパスフィルタ出力信号８が基準ＤＣ電圧源１０の基準電圧レベルを超える場合にのみ、コンパレータ出力信号１１はＨｉｇｈレベルとなり、超えない場合はＬｏｗレベルとなる。
【０００６】
コンパレータ出力信号１１は、フリップフロップ回路８１のＤ入力端子に入力され、サンプリングクロックＣＫS８４の立ち上がりタイミングでサンプリングされ、フリップフロップ回路８１のＱ出力端子から信号８５として出力される。
【０００７】
フリップフロップ回路８１のＱ出力信号８５は、バースト信号カウンタ１２に入力され、複数の水平走査期間にわたって、例えば１つの垂直帰線消去期間において、Ｈｉｇｈレベルのパルスの個数がカウントされる。カウント期間はカウントタイミングパルス１４によって制御される。カウントした結果は、バースト信号カウンタ１２からカウンタ出力信号８７として出力される。
【０００８】
カウンタ出力信号８７は、カラーキラー判定回路１３に入力される。カラーキラー判定回路１３は、１つの垂直帰線消去期間において、Ｈｉｇｈレベルのパルスの個数が規定値以上である場合、受信した映像信号はカラー信号であると判定し、カラーキラー機能をＯＦＦにするように、例えばＬｏｗレベルのキラー出力信号８８が出力され、映像信号に重畳されているクロマ信号は復調されることになる。一方、１つの垂直帰線消去期間において、Ｈｉｇｈレベルのパルスの個数が規定値未満である場合は、カラーキラー判定回路１３は、受信した映像信号は白黒信号であると判定し、カラーキラー機能をＯＮにするように、例えばＨｉｇｈレベルのキラー出力信号８８が出力され、映像信号に重畳されているクロマ信号は復調されない。
【０００９】
【発明が解決しようとする課題】
図９に、カラーバースト信号３（図９（ａ））が正規位置にある場合のバーストゲートパルス５（図９（ｂ））に対するフリップフロップ回路８１の入出力信号タイミングを示す。図９おいて、コンパレータ出力信号１１（図９（ｃ））はカラーバースト信号期間のみＨｉｇｈレベルとなる。図中、コンパレータ出力信号１１がＨｉｇｈレベルである有効期間をＷで示してある。そして、フリップフロップ回路８１では、コンパレータ出力信号１１が、そのＨｉｇｈレベル期間の真中でサンプリングクロック８４（図９（ｃ））によりサンプリングされ、Ｈｉｇｈレベル期間を有するＱ出力信号８５が出力される。それにより、サンプリングを行った水平帰線消去期間において、カラーバースト信号３が有ると判定され、カラーキラー機能がＯＦＦになる。
【００１０】
しかしながら、図１０に示すように、カラーバースト信号３（図１０（ａ））の位置がバーストゲートパルス５（図１０（ｂ））に対して正規の位置から遅れ方向（右方向）に（１／２）Ｗ以上ずれた場合、カラーバースト信号３がバーストゲートパルス５の有効期間（Ｈｉｇｈレベル期間）で同期検波回路２により抽出され、ローパスフィルタ７を介して、コンパレータ９から得られるコンパレータ出力信号１１（図１０（ｃ））は、そのＨｉｇｈレベル期間が短くなると共に、サンプリングクロック８４（図１０（ｄ））によるサンプリングタイミングがずれ、コンパレータ出力信号１１のＨｉｇｈレベル期間をサンプルできなくなる。そのため、フリップフロップ回路８１のＱ出力信号８５（図１０（ｅ））は常にＬｏｗレベルとなる。その結果として、この水平帰線消去期間においては、カラーバースト信号３は無いと判定され、カラーキラー機能はＯＮになる。なお、図示しないが、カラーバースト信号３の位置がバーストゲートパルス５に対して正規の位置から進み方向（左方向）に（１／２）Ｗ以上ずれた場合でも同様の結果となる。
【００１１】
仮に、カラーバースト信号３が無い白黒信号のカラーバースト信号３に相当する位置にノイズ等の外乱が加わって、コンパレータ出力信号１１のＨｉｇｈレベル期間が発生した場合であれば、幾つかの水平帰線消去期間にわたってコンパレータ出力信号１１をモニターすればノイズによる外乱であるか否かを判定することができる。
【００１２】
しかし、上記従来例では、カラーバースト信号３が正規の位置からずれている映像信号に対しては、カラー信号を受信しているにもかかわらず、白黒信号と判定されてしまうことになる。実際、ＶＴＲやゲーム機、ケーブルテレビ等においては、カラーバースト信号の位置が正規の場所からずれたものが存在する。
【００１３】
よって、本発明は、上記した問題を解決するためになされたものであり、その目的は、カラーバースト信号が正規の位置からずれている場合においても、安定にカラーキラー判定を行うことが可能なカラーキラー検波器を提供することにある。
【００１４】
【課題を解決するための手段】
前記の目的を達成するため、本発明に係るカラーキラー検波器は、映像信号に重畳されたカラーバースト信号をバーストゲートパルスによる規定のタイミングで基準副搬送波信号により同期検波を行い、前記同期検波の結果に基づいてカラーバースト信号の有無を検出するカラーキラー検波器であって、少なくとも前記同期検波により得られた信号に対して、前記バーストゲートパルスの少なくとも有効期間内でサンプリングタイミングを所定時間ずつ異ならせてｎ回サンプリングした結果に基づいて、前記映像信号がカラー信号であるか白黒信号であるかを判定する判定手段を備えたことを特徴とする。
【００１５】
本発明に係る前記カラーキラー検波器において、前記判定手段は、少なくとも前記同期検波により得られた前記信号を共通のデータ入力とし、それぞれ位相が所定量ずつ異なるｎ個のサンプリングクロックをクロック入力とするｎ個のフリップフロップ回路と、前記ｎ個のフリップフロップ回路のそれぞれのデータ出力に対する論理和演算回路と、前記論理和演算回路からの出力信号を複数の水平走査期間にわたってカウントするバースト信号カウンタと、前記バースト信号カウンタによるカウント値が規定値以上の場合は前記映像信号がカラー信号であると判定し、前記カウント値が規定値未満の場合は前記映像信号が白黒信号であると判定するカラーキラー判定回路とを備えることが好ましい。
【００１６】
または、前記判定手段は、少なくとも前記同期検波により得られた前記信号をデータ入力とし、前記基準副搬送波信号に同期し且つ前記バーストゲートパルスの有効期間内にのみｎ個のパルスを有するサンプリングクロックをクロック入力とするフリップフロップ回路と、前記フリップフロップ回路からのデータ出力信号を複数の水平走査期間にわたってカウントするバースト信号カウンタと、前記バースト信号カウンタによるカウント値が規定値以上の場合は前記映像信号がカラー信号であると判定し、前記カウント値が規定値未満の場合は前記映像信号が白黒信号であると判定するカラーキラー判定回路とを備えることが好ましい。
【００１７】
または、前記判定手段は、少なくとも前記同期検波により得られた前記信号を共通のデータ入力とし、それぞれ位相が所定量ずつ異なるｎ個のサンプリングクロックをクロック入力とするｎ個のフリップフロップ回路と、前記ｎ個のフリップフロップ回路からのそれぞれのデータ出力信号を複数の水平走査期間にわたってカウントする第１から第ｎバースト信号カウンタと、前記第１から第ｎバースト信号カウンタの第１から第ｎカウント値が、第１または第ｎカウント値を含めて、昇順に規定値以上となる連続性がある場合は、前記映像信号がカラー信号であると判定し、前記ｎ個のバースト信号カウンタの全てによるカウント値が規定値未満の場合は前記映像信号が白黒信号であると判定するカラーキラー判定回路とを備えることが好ましい。
【００１８】
これにより、映像信号としてＳＥＣＡＭ信号が入力された場合におけるカラーキラー検波器の誤動作を防止することができる。つまり、ＳＥＣＡＭ信号では、ＰＡＬやＮＴＳＣ信号でカラーバースト信号が存在する期間に黒色を示すクロマ信号が存在するため、これを同期検波するとビート出力が発生する。そして、ビート出力のＨｉｇｈレベル期間をサンプリングしてしまい、入力された映像信号がカラーバースト信号のあるＰＡＬまたはＮＴＳＣ信号であると誤判定する。つまり、黒色を示すクロマ信号は水平同期信号に同期していないため、同期検波されたビート出力も同期せず、ビート出力をあるタイミングでサンプリングした時にＨｉｇｈレベルであっても、次の水平帰線消去期間においてサンプリングしたときはＬｏｗレベルとなる可能性が高いためである。
【００１９】
上記の構成によれば、カラーバースト信号の位置がバーストゲートパルスに対して遅れ方向および進み方向にカラーバースト信号期間の１／２以上ずれた場合でも、カラーバースト信号の有無を安定して検出することができるので、安定にカラーキラー判定を行うことができるカラーキラー検波器を提供することが可能になる。
【００２０】
【発明の実施の形態】
以下、本発明の実施の形態について、図面を参照しながら説明する。なお、各図において、図８に示す従来のカラーキラー検波器８０を構成する要素と同一構成および機能を有する要素には同一の符号を付し、また、従来のカラーキラー検波器８０における各部の信号と同一の信号についても同一の符号を付して説明を省略する。
【００２１】
（第１実施形態）
図１は、本発明の第１実施形態によるカラーキラー検波器の構成を示すブロック図である。
【００２２】
図１に示すように、本実施形態によるカラーキラー検波器１が図８に示す従来例と異なるのは、ｎ個のフリップフロップ回路１５−１から１５−ｎで構成されたサンプリング部１５、ｎ個のフリップフロップ回路１５−１から１５−ｎに供給されるｎ個のサンプリングクロック１６−１から１６−ｎ、および論理和演算（ＯＲ）回路１８を設けた点にある。
【００２３】
以下、本実施形態によるカラーキラー検波器１のコンパレータ９より後段の回路動作について説明する。
【００２４】
コンパレータ９の出力信号１１は、サンプリング部１５を構成するｎ個のフリップフロップ回路１５−１から１５−ｎのＤ入力端子に入力される。ｎ個のフリップフロップ回路１５−１から１５−ｎには、それぞれ位相が異なるｎ個のサンプリングクロック１６−１から１６−ｎが入力される。第１フリップフロップ回路１５−１では、第１サンプリングクロック１６−１の立ち上がりエッジのタイミングで、また第ｎフリップフロップ回路１５−ｎでは、第ｎサンプリングクロック１６−ｎの立ち上がりエッジのタイミングで、それぞれコンパレータ出力信号１１をサンプリングする。各フリップフロップ回路でサンプリングされたＱ出力信号１７−１から１７−ｎは、ＯＲ回路１８に入力され、論理和演算が行われる。
【００２５】
図２に、ローパスフィルタ出力信号８（図２（ａ））からＯＲ出力信号１９（図２（ｉ））までのタイミング関係を示す。図２において、サンプリングクロック１６−１（図２（ｃ））、１６−２（図２（ｄ））から１６−ｎ（図２（ｅ））は、コンパレータ出力信号１１（図２（ｂ））のＨｉｇｈレベルの期間内において、取り込みタイミングエッジをそれぞれ一つだけ持つため、第１フリップフロップ回路１５−１から第ｎフリップフロップ回路１５−ｎのＱ出力信号１７−１（図２（ｆ））、１７−２（図２（ｇ））から１７−ｎ（図２（ｈ））は、１クロック期間のみＨｉｇｈレベルのパルスとなる。よって、ＯＲ出力信号１９（図２（ｉ））は、第１フリップフロップ回路１５−１のＱ出力信号１７−１の立ち上がりタイミングから、第ｎフリップフロップ回路１５−ｎのＱ出力信号１７−ｎの立ち下がりタイミングまでＨｉｇｈレベル、それ以外の期間はＬｏｗレベルとなる。通常のＰＡＬやＮＴＳＣ方式のカラー信号を受信した時には、ＯＲ出力信号１９のＨｉｇｈレベルのパルスは１つの水平帰線消去期間に１つ存在することになる。
【００２６】
再度図１に戻って、ＯＲ出力信号１９は、バースト信号カウンタ１２に入力され、バースト信号カウンタ１２では、入力されたＯＲ出力信号１９におけるＨｉｇｈレベルのパルスの個数を任意の期間にわたってカウントする。任意の期間の長さは、カウントタイミングパルス１４によって制御される。
【００２７】
次に、バースト信号カウンタ１２のカウンタ出力信号２０はカラーキラー判定回路１３に入力される。カラーキラー判定回路１３は、カウントタイミングパルス１４によって制御された期間内に、ＯＲ出力信号１９におけるＨｉｇｈレベルのパルスの個数がある規定値以上であれば、受信した映像信号はカラー信号であると判定し、カラーキラー機能をＯＦＦにするために、Ｌｏｗレベルのキラー出力信号２１を出力する。逆に、ＯＲ出力信号１９におけるＨｉｇｈレベルのパルスの個数がある規定値未満であれば、カラーキラー判定回路１３は、受信した映像信号は白黒信号であると判定し、カラーキラー機能をＯＮにするために、Ｈｉｇｈレベルのキラー出力信号２１を出力する。
【００２８】
ここで、カウントタイミングパルス１４によって制御される上記任意の期間を、例えば１垂直走査（フィールド）期間とした場合の規定値について説明する。例えばＭ方式のＮＴＳＣ信号では、１フィールド期間は、２６２．５本の水平走査線からなる期間で構成されており、同数のカラーバースト信号３が存在する。そのため、正規のポイントにカラーバースト信号３があると、バースト信号カウンタ１２によるカウント値は２６２または２６３となる。また、Ｂ／Ｇ方式のＰＡＬ信号では、１フィールド期間は、３１２．５本の水平走査線からなる期間で構成されており、バースト信号カウンタ１２によるカウント値は３１２または３１３となる。よって、カラーキラー判定回路１３に設定されている規定値は、１フィールド期間でカウントした場合、Ｍ方式のＮＴＳＣ信号に対しては２６２、Ｂ／Ｇ方式のＰＡＬ信号に対しては３１２となる。
【００２９】
次に、カラーバースト信号３が正規の位置からずれた場合について説明する。
【００３０】
カラーバースト信号３が正規の位置にあり、サンプリング部１５において、ｎ個のサンプリングクロック１６−１から１６−ｎの全てによりコンパレータ出力１１のＨｉｇｈレベルの期間内でサンプリングができた場合は、図２に示したＯＲ出力信号１９のようになる。しかし、カラーバースト信号３が正規の位置からずれていた場合でも、本実施形態によれば、（ｎ−１）個のサンプリングクロックでサンプリングした結果がＬｏｗレベルとなっても、残り一つのサンプリングクロックの取り込みタイミングがコンパレータ出力１１のＨｉｇｈレベル期間内に入っていれば、サンプリングした結果がＨｉｇｈレベルとなる。よって、ＯＲ出力信号１９におけるＨｉｇｈレベルのパルスの個数は１フィールド期間内で規定値以上となり、受信した映像信号はカラー信号であると正常に判定し、カラーキラー機能をＯＦＦにするようキラー出力信号２１はＬｏｗレベルになる。これが、従来例のように、サンプリングタイミングが一つしかなく、かつカラーバースト信号３が正規の位置から（１／２）Ｗ以上ずれた時には、カラー信号を受信していても、白黒信号を受信していると誤判定し、キラー出力信号２１はＨｉｇｈレベルになる。
【００３１】
以上のように、本実施形態によれば、コンパレータ出力信号１１をサンプリング部１２において、ｎ個のフリップフロップ回路１５−１から１５−ｎに入力し、それぞれのフリップフロップ回路で、カラーバースト期間内でｎ個の位相の異なるサンプリングクロック１６−１から１６−ｎによりサンプリングすることによって、カラーバースト信号が正規の位置からカラーバースト信号期間の１／２以上ずれていたとしても、安定にカラーキラー判定を行うことができる。
【００３２】
（第２実施形態）
図３は、本発明の第２実施形態によるカラーキラー検波器３０の構成を示すブロック図である。
【００３３】
図３に示すように、本実施形態によるカラーキラー検波器３０が図８に示す従来例と異なるのは、基準副搬送波信号に同期した高速クロック３２から、クロックゲートパルス３３により、バーストゲートパルス５の少なくとも有効期間内にｎ個のパルスを有する高速サンプリングクロック３４を生成し、フリップフロップ回路８１に供給するクロックゲート回路３１を設けた点にある。
【００３４】
以下、本実施形態によるカラーキラー検波器３０のコンパレータ９より後段の回路動作について説明する。なお、図４に、カラーキラー検波器３０の各部の信号波形およびタイミング関係を示す
カラーバースト信号３（図４（ａ））がバーストゲートパルス５（図４（ｃ））の有効期間（Ｈｉｇｈレベル期間）で同期検波回路２により抽出され、ローパスフィルタ７（図４（ｄ）にフィルタ出力信号８を示す）を介して、コンパレータ９から得られるコンパレータ出力信号１１（図４（ｅ））は、フリップフロップ回路８１のＤ入力端子に入力される。フリップフロップ回路８１のクロック入力端子には、高速サンプリングクロック３４（図４（ｈ））が入力される。高速サンプリングクロック３４は、クロックゲート回路３１において、水平同期信号（周波数ｆH）したがって基準副搬送波信号（図４（ｂ））に同期したｍ×ｆH（ｍは自然数）の周波数を有する高速クロック３２（図４（ｆ））をクロックゲートパルス３３（図４（ｇ））でゲートすることにより生成される。
【００３５】
図４に示すように、高速サンプリングクロック３４は、カラーバースト信号期間よりも、Ｈｉｇｈレベル期間が遅れ方向および進み方向に長いクロックゲートパルス３３によって、高速クロック３２をゲートすることにより生成される。そのため、高速サンプリングクロック３４は、コンパレータ出力信号１１のＨｉｇｈレベル期間よりも、遅れ方向および進み方向で長い期間においてサンプリングタイミングを有する。
【００３６】
ここで、コンパレータ出力信号１１が正規の位置にある場合は、図４（ｈ）に示すように、高速サンプリングクロック３４のサンプリングタイミングｔ３からｔｎまでで、コンパレータ出力信号１１のＨｉｇｈレベル期間をサンプルし、ｔ（ｎ＋１）のタイミングではＬｏｗレベルとなる。そして、図４（Ｉ）に示すＱ出力信号１９がフリップフロップ８１から出力される。なお、図４に示す例では、コンパレータ出力信号１１のＨｉｇｈレベル期間をサンプルし始めるサンプリングタイミングをｔ３としたが、決してｔ３から始まることに限定されるものではなく、クロックゲートパルス３３のＨｉｇｈレベル期間の長さにより、任意に可変することができる。
【００３７】
ここで、ＮＴＳＣまたはＰＡＬ方式のカラー信号を受信した時には、フリップフロップ回路８１のＱ出力信号１９におけるＨｉｇｈレベルのパルスは、１つの水平帰線消去期間に１つ存在することになる。
【００３８】
次に、Ｑ出力信号１９は、バースト信号カウンタ１２に入力される。バースト信号カウンタ１２は、入力されたＱ出力信号１９におけるＨｉｇｈレベルのパルスの個数を任意の期間カウントする。任意の期間の長さは、カウントタイミングパルス１４によって制御される。
【００３９】
次に、バースト信号カウンタ１２のカウンタ出力信号２０は、カラーキラー判定回路１３に入力される。カラーキラー判定回路１３は、カウントタイミングパルス１４によって制御された期間内に、Ｑ出力信号１９におけるＨｉｇｈレベルのパルスの個数がある規定値以上であれば、受信した映像信号はカラー信号であると判定し、カラーキラー機能をＯＦＦにするようＬｏｗレベルのキラー出力信号２１を出力する。逆に、Ｑ出力信号１９がある規定値未満であれば、カラーキラー判定回路１３は、受信した映像信号は白黒信号であると判定し、カラーキラー機能をＯＮにするようＨｉｇｈレベルのキラー出力信号２１を出力する。
【００４０】
ここで、カウントタイミングパルス１４によって制御される任意の期間を１フィールド期間とした場合の、カラー信号か白黒信号の判定に用いる上記規定値は、第１実施形態で説明した規定値と同じである。つまり、カラーキラー判定回路１３に設定される規定値は、１フィールド期間でカウントした場合、Ｍ方式のＮＴＳＣ信号では２６２、Ｂ／Ｇ方式のＰＡＬ信号では３１２となる。
【００４１】
次に、カラーバースト信号３が正規の位置からずれた場合について説明する。
【００４２】
図５に示すように、コンパレータ出力信号１１が正規の位置（図５（ｂ））からバーストゲートパルス５（図５（ａ））に対して遅れ方向（右方向）へａだけずれた場合（図５（ｃ））においても、高速クロック３２（図５（ｄ））をゲートするクロックゲートパルス６（図５（ｅ））のＨｉｇｈレベル期間を、カラーバースト信号３が正規の位置にある場合のコンパレータ出力信号１１のＨｉｇｈレベル期間よりも遅れ方向および進み方向で充分広くとり、それによって生成される高速サンプリングクロック３４（図５（ｆ））によりフリップフロップ回路８１から安定にＱ出力信号１９を得ることができる。
【００４３】
以上のように、本実施形態によれば、コンパレータ出力１１に対して、一つのフリップフロップ回路８１において、通常のカラーバースト信号期間よりも広めにサンプルポイントを持ち、基準副搬送波信号に同期し、かつ水平同期信号の整数倍の周波数を有する高速サンプリングクロック３４でサンプリングを行うことにより、カラーバースト信号３が正規の位置からずれる不安定な映像信号に対しても、安定にカラーキラー判定を行うことができる。
【００４４】
（第３実施形態）
図６は、本発明の第３実施形態によるカラーキラー検波器６０の構成を示すブロック図である。
【００４５】
図６に示すように、本実施形態によるカラーキラー検波器６０が図８に示す従来例と異なるのは、ｎ個のフリップフロップ回路１５−１から１５−ｎで構成されたサンプリング部１５、ｎ個のフリップフロップ回路１５−１から１５−ｎに供給されるｎ個のサンプリングクロック１６−１から１６−ｎ、ｎ個のフリップフロップ回路１５−１から１５−ｎのそれぞれのＱ出力信号１７−１から１７−ｎが入力されるｎ個のバースト信号カウンタ６１−１から６１−ｎで構成されたカウンタ部６１、およびｎ個のバースト信号カウンタ６１−１から６１−ｎのそれぞれのカウンタ出力信号６２−１から６２−ｎが入力されるカラーキラー判定回路６３を設けた点にある。
【００４６】
以下、本実施形態によるカラーキラー検波器６０のコンパレータ９より後段の回路動作について説明する。
【００４７】
コンパレータ９からのコンパレータ出力信号１１は、サンプリング部１５を構成するｎ個のフリップフロップ回路１５−１から１５−ｎのＤ入力端子に入力される。ｎ個のフリップフロップ回路１５−１から１５−ｎのクロック入力端子には、それぞれ位相が異なるｎ個のサンプリングクロック１６−１から１６−ｎが入力される。第１フリップフロップ回路１５−１では、第１サンプリングクロック１６−１の立ち上がりエッジのタイミングで、また第ｎフリップフロップ回路１５−ｎでは、第ｎサンプリングクロック１６−ｎの立ち上がりエッジのタイミングで、それぞれコンパレータ出力信号１１をサンプリングする。各フリップフロップ回路でサンプリングされたＱ出力信号１７−１から１７−ｎは、カウンタ部６１に入力される。
【００４８】
カウンタ部６１は、ｎ個のバースト信号カウンタ６１−１から６１−ｎで構成されており、第１バースト信号カウンタ６１−１には、第１フリップフロップ回路１５−１のＱ出力信号１７−１が入力される。また、第ｎバースト信号カウンタ１５−ｎには、第ｎフリップフロップ回路１５−ｎのＱ出力信号１７−ｎが入力される。各バースト信号カウンタは、カウントタイミングパルス１４によって、カウント期間を制御される。カウント期間中、各バースト信号カウンタは、入力される各フリップフロップ回路のＱ出力信号におけるＨｉｇｈレベルのパルスの個数をカウントする。そして、各バースト信号カウンタは、カウントタイミングパルス１４によって決められたカウント期間が終了した時に、カウント数がある規定値以上に達した場合は、カラーバースト信号３が有ることを示すＨｉｇｈレベルの検出信号６２−１から６２−ｎを出力する。逆に、ある規定値に達しなかった場合は、カラーバースト信号３が無いことを示すＬｏｗレベルの検出信号６２−１から６２−ｎを出力する。
【００４９】
この場合のある規定値とは、カウントタイミングパルス１４によって決められたカウント期間が、例えば水平走査期間の２０倍であれば、２０と考えればよい。ただ、ノイズ等による誤動作を考えた場合、２０よりもやや少なめに設定することも考えられる。
【００５０】
カラーキラー判定回路６３は、カウンタ部６１における各バースト信号カウンタの検出信号６２−１から６２−ｎを入力とし、カウントタイミングパルス１４のカウント期間が終了した次のタイミングで、各入力信号レベルをチェックする。そして、検出信号６２−１から６２−ｎの昇順で、検出信号６２−１または６２−ｎを含めてＨｉｇｈレベルの連続性があれば、受信した映像信号はカラー信号であると判定し、カラーキラー機能をＯＦＦするようキラー出力信号２１はＬｏｗレベルとなる。一方、チェック時の検出信号６２−１から６２−ｎが全てＬｏｗレベルであれば、受信した映像信号は白黒信号であると判定し、カラーキラー機能をＯＮにするようキラー出力信号２１はＨｉｇｈレベルとなる。
【００５１】
次に、チェック時に、検出信号６２−１から６２−ｎの昇順で、検出信号６２−１または６２−ｎを含めてＨｉｇｈレベルの連続性が有ることを確認する理由について説明する。
【００５２】
カラーバースト信号期間は、放送方式にもよるが少なくとも数μｓを有しており、サンプリング部１５では、その期間内でｎ個のサンプリングクロック１６−１から１６−ｎの取り込みエッジでサンプリングが行えるようになっている。よって、必ず、コンパレータ出力信号１１のＨｉｇｈレベル期間を取り込むサンプリングタイミングが複数のサンプリングクロックで存在すると考えられる。そのため、ｎ個のバースト信号カウンタ１５−１から１５−ｎのうち、第（ｎ−ｍ）（ここで０≦ｍ＜ｎ）バースト信号カウンタのＱ出力信号のみがＨｉｇｈレベルで、他のバースト信号カウンタのＱ出力信号が全てＬｏｗレベルであった場合は、それはノイズ等をカウントしたことによる誤動作と考えられ、受信した映像信号は白黒信号であると判定する。
【００５３】
図７に、コンパレータ出力信号１１（図７（ａ））からキラー出力信号２１（図７（ｌ））までのタイミング関係を示す。図７では、コンパレータ出力信号１１のＨｉｇｈレベルの期間内において、サンプリングクロック１６−１（図７（ｂ））、１６−２（図７（ｃ））から１６−ｎ（図７（ｄ））でサンプリングすると、第１、第２から第ｎフリップフロップ回路のＱ出力信号１７−１（図７（ｅ））、１７−２（図７（ｆ））から１７−ｎ（図７（ｇ））は、１クロック期間のみＨｉｇｈレベルのパルスを発生し、各バースト信号カウンタに入力される。カウントタイミングパルス１４（図７（ｈ））がＬｏｗレベルに下がりカウント期間が終了すると、第１、第２から第ｎバースト信号カウンタより出力される検出信号６２−１（図７（ｉ））、６２−２（図７（ｊ））から６２−ｎ（図７（ｋ））はＨｉｇｈレベルに上がる。そのため、カラーキラー判定回路６３において、受信した映像信号はカラー信号であると判定され、カラーキラー機能をＯＦＦにするようキラー出力信号２１はＬｏｗレベルとなる。
【００５４】
本実施形態の第１の特徴によれば、第１実施形態と同じようにサンプリング部１５において、それぞれ位相の異なるｎ個のサンプリングクロック１６−１から１６−ｎでコンパレータ出力信号１１をサンプリングする。そのため、カラーバースト信号３が正規の位置からずれた場合においても、一つのサンプリングクロックの取り込みタイミングがコンパレータ出力信号１１のＨｉｇｈレベルの期間内に入っていれば、受信した映像信号はカラー信号であると判定し、カラーキラー機能はＯＦＦとなる。よって、従来例のように、コンパレータ出力信号１１をサンプリングするタイミングが一つしかない構成に比べて、より安定にカラーキラー判定を行うことができる。
【００５５】
次に、本実施形態の第２の特徴について、ＳＥＣＡＭ方式の映像信号を受信した場合を例に説明する。ＳＥＣＡＭ方式の映像信号では、ＰＡＬ、ＮＴＳＣ方式の映像信号でカラーバースト信号が存在する期間には、黒色を示すクロマ信号が重畳されている。このクロマ信号は、ＰＡＬ信号のカラーバースト信号に近い周波数を持っているが、水平同期信号に同期していない。そのため、ＳＥＣＡＭ信号のクロマ信号が入力されると、カラーキラー検波器内の同期検波回路の出力では、ビート信号を発生する。よって、第１実施形態で説明した構成では、サンプリング部１５においてｎ個のクロックでサンプリングし、ＯＲ回路１８において論理和演算を行うと必ず規定値を超えてしまい、ＰＡＬやＮＴＳＣ方式のカラー信号であると誤判定を行ってしまう。だが、ビート出力は水平同期信号に同期していないので、あるタイミングでサンプリングを行いフリップフロップ回路のＱ出力信号がＨｉｇｈレベルとなっても、次の水平帰線消去期間のタイミングで同じクロックでサンプリングするとＬｏｗレベルとなる可能性が高い。
【００５６】
それに対して本実施形態では、まずコンパレータ出力信号１１をｎ個のフリップフロップ回路１５−１から１５−ｎを使い、ｎ個のサンプリングクロック１６−１から１６−ｎでサンプリングする。そして、ｎ個のフリップフロップ回路のＱ出力信号１７−１から１７−ｎを、ｎ個のバースト信号カウンタ６１−１から６１−ｎに入力し、Ｈｉｇｈレベルのパルスの個数を任意の期間カウントする。例えば、任意の期間を１つの垂直帰線消去期間としてカウントすると、あるタイミングではＨｉｇｈとカウントできても、次のタイミングではＬｏｗのためカウントできなくなり、結果は規定値以下になる。これにより、入力信号がＰＡＬやＮＴＳＣ方式のカラー信号であると誤判定するのを防止できる。
【００５７】
以上のように、本実施形態によれば、コンパレータ出力信号１１をサンプリング部１５において、ｎ個のフリップフロップ回路１５−１から１５−ｎに入力し、それぞれのフリップフロップ回路において、カラーバースト期間内でｎ個の位相の異なるクロック１６−１から１６−ｎでサンプリングし、そのＱ出力信号１７−１から１７−ｎをそれぞれｎ個のバースト信号カウンタ６１−１から６１−ｎで任意の期間カウントすることにより、カラーバースト信号３が正規の位置からずれた時だけでなく、ＳＥＣＡＭ信号のようなカラーバースト信号期間に黒色を示すクロマ信号が重畳されている場合においても、安定にカラーキラー判定を行うことができる。
【００５８】
【発明の効果】
以上説明したように、本発明によれば、同期検波されたカラーバースト信号を複数のポイントでその存在の確認を行うため、カラーバースト信号が正規の位置からずれやすいＶＴＲ、ゲーム機、ケーブルテレビ等に対しても、より安定にカラーキラー判定を行うことができる。
【図面の簡単な説明】
【図１】  本発明の第１実施形態によるカラーキラー検波器の構成を示すブロック図
【図２】  本発明の第１実施形態によるカラーキラー検波器における各部の信号のタイミングチャート
【図３】  本発明の第２実施形態によるカラーキラー検波器の構成を示すブロック図
【図４】  本発明の第２実施形態によるカラーキラー検波器における、カラーバースト信号が正規の位置にある場合の、各部の信号のタイミングチャート
【図５】  本発明の第２実施形態によるカラーキラー検波器における、カラーバースト信号が正規の位置からずれた場合の、各部の信号のタイミングチャート
【図６】  本発明の第３実施形態によるカラーキラー検波器の構成を示すブロック図
【図７】  本発明の第３実施形態によるカラーキラー検波器における各部の信号のタイミングチャート
【図８】  従来のカラーキラー検波器の構成を示すブロック図
【図９】  従来のカラーキラー検波器における、カラーバースト信号が正規の位置にある場合の、各部の信号のタイミングチャート
【図１０】  従来のカラーキラー検波器における、カラーバースト信号が正規の位置からずれた場合の、各部の信号のタイミングチャート
【符号の説明】
１、３０、６０  カラーキラー検波器
２  同期検波器
３  カラーバースト信号
４  基準副搬送波信号
５  バーストゲートパルス
６  同期検波出力信号
７  ローパスフィルタ
８  ローパスフィルタ出力信号
９  コンパレータ
１０  基準ＤＣ電圧源
１１  コンパレータ出力信号
１２  バースト信号カウンタ
１３  カラーキラー判定回路
１４  カウントタイミングパルス
１５  サンプル部
１５−１〜１５−ｎ  フリップフロップ回路
１６−１〜１６−ｎ  サンプリングクロック
１７−１〜１７−ｎ  Ｑ出力信号
１８  ＯＲ回路
１９  ＯＲ出力信号
２０  カウンタ出力信号
２１  キラー出力信号
３１  クロックゲート回路
３２  高速クロック
３３  クロックゲートパルス
３４  高速サンプリングクロック
６１  カウンタ部
６１−１〜６１−ｎ  バースト信号カウンタ
６２−１〜６２−ｎ  カウンタ出力信号
６３  カラーキラー判定回路
【図１】
0003745934.tif 000002
【図２】
0003745934.tif 000003
【図３】
0003745934.tif 000004
【図４】
0003745934.tif 000005
【図５】
0003745934.tif 000006
【図６】
0003745934.tif 000007
【図７】
0003745934.tif 000008
【図８】
0003745934.tif 000009
【図９】
0003745934.tif 000010
【図１０】
0003745934.tif 000011